(57)【要約】【課題】本に印刷されている視覚情報に関連する情報を視覚情報に付加されたドットコードに基づいて記憶手段から読み出し音声や画像で入手することができる情報入手システムを提案すること。【解決手段】ドットコードｂと、該ドットコードｂを読み取る読取装置２とから構成される情報入手システムであって、上記読取装置２はドットコードｂを読み取るリーダー部６と、該リーダー部６で読み取ったドットコードｂに基づき記憶手段７に記憶された音声データ及び画像データを読み出して音声発生手段８に音声を出力させるとともに画像表示手段９に画像を表示させる制御手段１０とを備え、上記ドットコードｂを絵本などのシート体１に印刷された絵柄等の視覚情報ａに重ねて印刷し、上記記憶手段７には上記視覚情報ａに関連した音声データと画像データとを記憶させた。【選択図】図１
2005038252.tif 000002
【特許請求の範囲】
【請求項１】
ドットコードと該ドットコードを読み取る読取装置とから構成される、以下の要件を備えることを特徴とする情報入手システム。
（イ）上記読取装置はドットコードを読み取るリーダー部と、該リーダー部で読み取ったドットコードに基づき記憶手段に記憶された音声データ及び画像データを読み出して音声発生手段に音声を出力させるとともに画像表示手段に画像を表示させる制御手段とを備えたこと
（ロ）上記ドットコードは本やカード等のシート体に印刷された絵や文字等の視覚情報に重ねて印刷され、上記ドットコードは上記視覚情報に対応してドット構成が異なるように設定されていること
（ハ）上記記憶手段に記憶されている音声データと画像データとは上記視覚情報に関連した内容のデータであること
【請求項２】
前記記憶手段は前記ドットコードに関連した音声データ及び画像データを記憶したカートリッジで構成され、該カートリッジを前記読取装置に着脱可能にした、請求項１記載の情報入手システム。
【請求項３】
以下の要件を備えることを特徴とする、請求項１又は２記載の情報入手システム。
（イ）前記ドットコードは赤外線を吸収するインクで容易に視認できない程度の大きさのドットで印刷され、前記視覚情報は赤外線をほとんど吸収しないインクで印刷されていること
（ロ）前記リーダー部には前記シート体に赤外線を照射する光源と、シート体で反射する反射光を取り込むセンサユニットとが設けてあること
【請求項４】
前記シート体には、前記視覚情報として食材に関する情報が印刷されており、前記音声データ及び画像データを、上記食材を使用した複数のレシピに関するデータにした、請求項１、２又は３記載の情報入手システム。
【発明の詳細な説明】
【技術分野】
【０００１】
本発明は、情報入手システム、詳しくはシート体に印刷された視覚情報に重ねて印刷されたドットコードを読み取り、視覚情報に関連した音声及び画像データを記憶手段から読み出して音声出力装置及び画像表示装置に出力する情報入手システムに関するものである。
【背景技術】
【０００２】
従来、情報を入手してその情報を利用する方法として料理の調理方法（調理の仕方）を入手するケースがあるが、この入手方法としては、いわゆるレシピが書かれた料理の本や、レシピが記憶された記憶媒体から、所望するレシピを検索して、ユーザに提示するようなコンピュータのアプリケーション（ソフトウェア）がある。しかしながら、コンピュータを用いる場合には、キーボードなどの操作に熟練する必要があり、ユーザに煩わしさを感じさせるためユーザが煩わしさを感じることなく調理をすることができるように、調理方法を提供するシステムが提案されている（例えば、特許文献１）。
【０００３】
このシステムは、記憶手段には料理の調理方法に関する調理情報を記憶させ、音声認識手段で入力された音声を音声認識し、音声認識手段の音声認識結果に基づいて、記憶手段に記憶されている調理情報を検索手段で検索するようになっており、検索手段により検索された調理情報に対応する合成音を生成手段で生成し、計時手段により計時された時間に対応して、次の調理工程についての調理情報を検索するように制御手段が検索手段を制御するようにしたものである。
【特許文献１】特開平０９−２８２１３９号公報
【発明の開示】
【発明が解決しようとする課題】
【０００４】
本発明が解決しようとする問題点は、上記システムはシステム単体で終結するものであるが、どのような料理を作ろうかと考える場合は食材本を見てメニューを決めるのが一般的で、食材本なくしては新しい料理を作ることはできないためシステム単体では料理に精通していない人には扱いづらい問題があった。
【０００５】
本発明は、上記問題点を解決し、本に印刷されている視覚情報に関連する情報を視覚情報に付加されたドットコードに基づいて記憶手段から読み出し音声や画像で入手することができる情報入手システムを提案することをその課題とする。
【課題を解決するための手段】
【０００６】
前記課題を解決するために本発明に係る情報入手システムは、ドットコードと該ドットコードを読み取る読取装置とから構成される、以下の要件を備えることを特徴とする。
（イ）上記読取装置はドットコードを読み取るリーダー部と、該リーダー部で読み取ったドットコードに基づき記憶手段に記憶された音声データ及び画像データを読み出して音声発生手段に音声を出力させるとともに画像表示手段に画像を表示させる制御手段とを備えたこと
（ロ）上記ドットコードは本やカード等のシート体に印刷された絵や文字等の視覚情報に重ねて印刷され、上記ドットコードは上記視覚情報に対応してドット構成が異なるように設定されていること
（ハ）上記記憶手段に記憶されている音声データと画像データとは上記視覚情報に関連した内容のデータであること
【０００７】
なお、前記記憶手段は前記ドットコードに関連した音声データ及び画像データを記憶したカートリッジで構成され、該カートリッジを前記読取装置に着脱できるようにしてもよい。
【０００８】
また、前記情報入手システムは、以下の要件を備えることが好ましい。
（イ）前記ドットコードは赤外線を吸収するインクで容易に視認できない程度の大きさのドットで印刷され、前記視覚情報は赤外線をほとんど吸収しないインクで印刷されていること
（ロ）前記リーダー部には前記シート体に赤外線を照射する光源と、シート体で反射する反射光を取り込むセンサユニットとが設けてあること
そして、前記シート体には、前記視覚情報として食材に関する情報を印刷し、前記音声データ及び画像データを、上記食材を使用した複数のレシピに関するデータにすればよい。
【発明の効果】
【０００９】
請求項１の発明によれば、本やカード等のシート体に印刷された絵、文字、マーク等の視覚情報に重ねて印刷されているドットコードを読取装置で読み取ると、視覚情報に関連する音声情報と画像情報が入手できるので、本やカードに印刷された視覚情報のみでは表現できない様々な情報を入手することができ、視覚と聴覚との両面からより多くの情報を入手することができる。
【００１０】
請求項２の発明によれば、記憶手段をカートリッジで構成し、このカートリッジを読取装置に着脱可能にしたので、新たにカートリッジとともに本やカードを購入すれば新たな情報を際限なく入手することができる。
【００１１】
請求項３の発明によれば、ドットコードを赤外線を吸収するインクで容易に視認できない程度の大きさのドットで印刷するとともに絵本などのシート体の視覚情報は赤外線をほとんど吸収しないインクで印刷し、リーダー部には上記シート体に赤外線を照射する光源と、シート体で反射した反射光をセンサユニットで取り込むようにしたので、ドットコードが視覚的な邪魔にならず、しかも読取装置で確実に読み取ることができる。
【００１２】
請求項４の発明によれば、シート体に視覚情報として食材に関する情報を印刷し、記憶手段に記憶した音声データ及び画像データを、上記食材を使用した複数のレシピに関するデータにしたので、印刷された情報だけではなく読取装置の音声発生手段から出力される音声と、画像表示手段で画像表示される情報とからレシピに関する情報を入手することができる。
【発明を実施するための最良の形態】
【００１３】
ドットコードと該ドットコードを読み取る読取装置とから構成される情報入手システムであって、上記読取装置はドットコードを読み取るリーダー部と、該リーダー部で読み取ったドットコードに基づき記憶手段に記憶された音声データ及び画像データを読み出して音声発生手段に音声を出力させるとともに画像表示手段に画像を表示させる制御手段とを備え、上記ドットコードを本やカード等のシート体に印刷された絵、文字等の視覚情報に重ねて印刷し、上記記憶手段には上記視覚情報に関連した音声データと画像データとを記憶させた。
【実施例１】
【００１４】
図１は本発明に係る情報入手システムの一例を示すもので、この情報入手システムが料理に関する情報を入手することができるシステムに適用された場合について説明する。
【００１５】
この情報入手システムは、料理の材料に関する情報が掲載されている食材本からなるシート体１に印刷された絵、写真、文字等の視覚情報ａに重ねて印刷されたドットコードと、このドットコードを読み取って料理に関する様々な情報を音声と画像とで入手することができる読取装置２とから構成されているものである。
【００１６】
図２に示すように、食材本１には料理に関する絵、写真や、説明文等の視覚情報aとともにドットコードｂが印刷され、このドットコードは上記視覚情報に対応してドット構成が異なるように設定されている。
【００１７】
視覚情報ａは、赤外線をほとんど吸収しないインク（例えば、基本の色インク、すなわちシアン、マゼンダ、イエローの組合せ）でカラー印刷され、ドットコードｂは視覚情報aの上に、赤外線を吸収するインク（例えば、黒の油性インク）で印刷されている。
【００１８】
ドットコードｂは視覚上の邪魔にならないように容易に視認できないような小さなドット（０．５ミリ角内に６Ｘ６個）で構成されるとともに、６Ｘ６の２次元マトリックスコードを１つのデータ単位とし、食材本１の視覚情報ａ上に２次元的に連続して印刷されているもので、ヘッダ情報ｂ１とデータ情報ｂ２とから構成され、ヘッダ情報ｂ１はドットコードｂを他のドットコードｂと切り分ける情報を備え、データ情報ｂ２は視覚情報ａを特定する情報が表示されているものである。
【００１９】
読取装置２は片手に収まる程度の大きさで、読取装置２の先端にはドットコードを読み取るリーダー部６が設けられ、装置２の内部にはリーダー部６で読み取ったドットコードに基づき記憶手段７に記憶された音声データ及び文字データを読み出して音声発生手段８に音声を出力させるとともに、画像表示手段９に文字表示させる制御手段１０が配置されている。画像表示手段９は液晶ディスプレイで構成され、読取装置２の前面に配置されている。この液晶ディスプレイ９の下方には操作部１１が設けてある。この操作部１１は液晶ディスプレイ９に表示された文字情報をスクロールするためのカーソルボタン１２と、スクロールして選択した項目を確定するための決定ボタン１３、装置を初期化するためのリセットボタン１４が配置され、読取装置２の上面には記憶手段であるＲＯＭを内装したカセット２１を差し込むソケット２５が設けてある。
【００２０】
この読取装置２の側面には、文字を表示する液晶ディスプレイ９以外に、映像を表示するためのテレビ２６をケーブル２７で接続するためのジャック２８が配置されている。
【００２１】
リーダー部６には、図３に示すように、赤外線を照射する光源１５と、導光体１６ａと一体に形成されたレンズ１６、フィルター１７、画像センサー１８及び、処理プログラムを内蔵したドットパターン認識ＣＰＵ１９とからなるセンサユニットとが収容され、光源１５から導光体１６ａを介して食材本１に照射された赤外線の一部はドットコードｂで吸収され、ドットコードｂのない部分に照射された赤外線は視覚情報ａを透過し、シート体１で反射拡散するので、反射光はレンズ１６で集光されフィルター１７を通して画像センサー１８に取り込まれ、取り込まれた画像はデジタル信号に変換され、デジタル信号はドットパターン認識ＣＰＵ１９でデータ情報ｂ２からドットコードが解析され、そのドットコードｂを構成するドットの組合せを数字コードに変換するので、制御部であるプログラマブル音声合成ＣＰＵ９は数字コードに基づいてカートリッジ２１に内装された記憶手段７であるＲＯＭから音声データと文字データとを読み出し、音声データは音声出力装置であるスピーカ８からドットコードｂ（視覚情報ａ）に関連する音声で出力し、文字データは画像表示装置である液晶ディスプレイに文字情報として表示するようになっている。
【００２２】
つぎに、このシステムの利用態様の一例について説明する。
【００２３】
先ず、ユーザーは買い物してきた食材や冷蔵庫に眠っている食材からどのような料理を作ろうかと考えたとき、食材本１を開くと食材が絵や写真等の視覚情報ａで表示されているので、初期メニューの中から「食材を選択」をカーソルボタン１２で選択し、食材本１に印刷されている食材の中から、使用したい食材の絵や写真で構成された視覚情報ａに読取装置２のリーダー部６を接触させると、視覚情報ａの上に印刷されているドットコードｂを読み取り、ドットコードｂに対応した食材名が液晶ディスプレイ９に表示される（図４（ａ）参照）。
【００２４】
食材の読み込みが済んだら、決定ボタン１３を押すと、その食材を用いた料理メニューが表示されるので（図４（ｂ）参照）、表示された料理メニューの中から、作りたい料理名をカーソルボタン１２で選択し、決定ボタン１３を押すと、その他当該料理に必要な食材、分量などが液晶ディスプレイ９に表示される。また、決定ボタン１３を押すと、簡単な「作り方」が液晶ディスプレイ９に表示されるようにしてもよい。
【００２５】
さらに、詳しい作り方を調べたい場合は、食材本１の後半にレシピページを作成しておき、そのレシピページを参照するようにしてもよいし、読取装置２にテレビ２６を接続してレシピページに記載されている料理の写真（視覚情報ａ）にリーダー部６を接触させると、視覚情報ａの上に印刷されているドットコードｂを読み取り、ドットコードｂに対応した調理方法の関する音声データ、画像データが記憶手段から読み出され、テレ２６ビに映像となって表示されるとともに音声で指示が成されるので、食材本１だけでは知ることのできない詳しい料理方法や裏技などを知ることができる。
【００２６】
上述の読取装置によれば、ドットコードを読み取るリーダー部と、読み取った結果を表示するディスプレイとを一体に組み込むとともに、携帯可能な大きさに製造することができるので、読取装置を携帯すれば買い物に行く際にレシピをわざわざメモにとらなくても、ディスプレイに表示される情報を確認しながら必要とするものを購入することができる。
【産業上の利用可能性】
【００２７】
上述の情報入手システムは、料理本に印刷されている文字や絵（写真）にリーダー部を接触させることにより料理に関する情報を視覚と聴覚とで入手できるようにしたが、料理本に限定されるものではなく、例えば、医学本等に印刷されている人体図の各部にリーダー部を当てると、その部分に関する病気や対応策などのガイダンスが入手することができるようにしてもよく、このシステムの応用範囲はアイデア次第で際限なく広げることができる。
【図面の簡単な説明】
【００２８】
【図１】本発明の情報入手システムの構成の一例を説明する斜視図
【図２】ドットコードの説明図
【図３】読取装置のブロック図
【図４】（ａ）（ｂ）は読取装置の使用態様の一例を説明する説明図
【符号の説明】
【００２９】
１    シート体
２    読取装置
６    リーダー部
７    記憶手段
８    音声発生手段
９    画像表示手段
１０    制御手段
ａ    視覚情報
ｂ    ドットコード
【図１】
2005038252.tif 000003
【図２】
2005038252.tif 000004
【図３】
2005038252.tif 000005
【図４】
2005038252.tif 000006